(57)【要約】【課題】高濃度の防虫薬剤含有ガスのまま防虫に有効な箇所に運搬散布して防虫効果を高め、加えて不快感を与えること無くエアーカーテンによる防虫効果を発揮し出来る防虫薬剤散布装置及びこれを利用した防虫用エアーカーテン装置を提供する。【解決手段】エアーカーテン装置２２上に載せた防虫薬剤散布装置１から高濃度の防虫薬剤含有ガスの渦輪５を、エアーカーテン２４よりも外側の位置から出入口２１に対し外側に向けて発射し、渦輪５はそのまま進んだあと崩壊し、高濃度の防虫薬剤含有ガスが拡散し始め、虫は拡散した防虫薬剤含有ガスに対し忌避行動をしたり死ぬから、この防虫薬剤含有ガス拡散域を通過して出入口２１に飛翔してくる虫自体が減り、出入口２１に向かう虫がいても、途中の防虫薬剤含有ガスにより弱って、到達風速４ｍ／秒未満のエアーカーテン２４で阻止され、出入口２１から建造物２０内に虫が入ることがない。【選択図】図６
2013022015.tif 000002
【特許請求の範囲】
【請求項１】
防虫薬剤を貯留するタンクと、該タンク内の防虫薬剤を防虫薬剤含有ガスにするガス化部と、発射口を有し前記ガス化部からの防虫薬剤含有ガスを受け入れて前記発射口から防虫薬剤含有ガスの渦輪を発射する渦輪発射部と、この渦輪発射部に発射圧力を必要に応じて与える発射圧力付与部と、を有してなり、前記渦輪発射部に発射圧力を前記発射圧力付与部により与えることで、前記発射口から防虫薬剤含有ガスの渦輪を発射することを特徴とする防虫薬剤散布装置。
【請求項２】
建造物の出入口の外側に設けて、その出入口を気流的に遮断するエアーカーテン装置と、該エアーカーテン装置に付帯し、防虫薬剤含有ガスの渦輪を発射する請求項１に記載の１以上の防虫薬剤散布装置と、からなり、１以上の前記防虫薬剤散布装置からの防虫薬剤含有ガスの渦輪を、前記エアーカーテン装置からのエアーカーテンよりも外側の位置から、且つ前記出入口に対し外側に向けて、発射することを特徴とする防虫用エアーカーテン装置。
【請求項３】
前記防虫薬剤散布装置の渦輪発射部における発射口の軸線方向を、全方向に０度ないし９０度の範囲で可変出来るようにした請求項２記載の防虫用エアーカーテン装置。
【請求項４】
前記エアーカーテン装置からのエアーカーテンは、その到達風速が４ｍ／秒未満である請求項２または３記載の防虫用エアーカーテン装置。
【請求項５】
前記建造物の出入口は開閉扉付である請求項２、３または４記載の防虫用エアーカーテン装置。
【発明の詳細な説明】
【技術分野】
【０００１】  本発明は、防虫薬剤含有ガスの渦輪を発射できる防虫薬剤散布装置と、建造物の出入口を気流的に遮断するエアーカーテン装置と、の組み合わせで、建造物の出入口外側の近傍を防虫薬剤濃度の高い状態を保持して、これらの防虫薬剤とエアーカーテンとにより、出入口から建造物内部に虫が侵入しないようにした防虫薬剤散布装置及びこれを利用した防虫用エアーカーテン装置に関する。
【背景技術】
【０００２】  建造物の出入口を気流的に遮断するエアーカーテンにて虫の侵入を防止する技術は、既に多く実施されている。その一例としては、建造物の出入口に開閉扉が設けられてはいるが、この開閉扉が閉じていても、建造物内部の照明の光が屋外に透け出る場合に、開閉扉の透光部分に虫が視感出来る波長の光を選択的に吸収する防虫性透光材にて構成して、開閉扉近くに虫が集まらないようにし、さらに、出入口に上方から下方に向かうエアーカーテンを吹き下ろすエアーカーテン装置を設置することで、出入口の開閉扉が開いた状態でも虫の侵入を阻止するようにしたものである（例えば、特開平１０−２２５２５５号公報参照）。【０００３】  さらに、エアーカーテンによる昆虫類侵入防止装置としては、建造物の出入口を開閉するシャッターを設け、このシャッターの両側前面に内部に送風機を備えた一対のハウジングを配置して、このハウジングとシャッターとで仕切る床面に捕虫ピットを設け、さらにシャッターの開閉とハウジング内の送風機から吹き出すエアー流とを制御する制御装置を有してなり、ハウジングは、互いに相対向する面に設けた吹出口及び外部に向けて開いた他面に設けた吸込口を有して、水平方向に吹き出すエアーカーテンを形成するエアーカーテン装置であり、このエアーカーテン装置の吹出口を制御装置にて移動させて、エアーカーテンの吹き出し方向を変えて、出入口のシャッターが開いた状態でも虫の侵入を阻止するようにしたものである（例えば、特開２００３−１６１４８９号公報参照）。【０００４】  一方、防虫薬剤を使用して、建造物の開閉扉付の出入口から虫の侵入を防ぐものとしては、演算処理するコンピュータと、薬剤による有害生物防除装置と、これらを通信ケーブルにて接続してなり、この有害生物防除装置はコンピュータからの指令により薬剤を散布することで、出入口の開閉扉が開いた状態でも虫の侵入を阻止するようにしたものである（例えば、特開２００４−３４４０４５号公報参照）。
【先行技術文献】
【特許文献】
【０００５】
【特許文献１】  特開平１０−２２５２５５号公報
【特許文献２】  特開２００３−１６１４８９号公報
【特許文献３】  特開２００４−３４４０４５号公報
【発明の概要】
【発明が解決しようとする課題】
【０００６】  上記特許文献１のエアーカーテン利用の虫侵入防止は、開閉扉が閉じていると虫が開閉扉を通した建造物内部の光に反応しないから、開閉扉近くに虫が集まらず、開閉扉が開くと内部の光に反応して虫が集まり出入口から建造物内に入ろうとするが、それをエアーカーテンにて阻止するものである。しかしながら、開いた開閉扉が直ぐに閉じるのであれば効果が期待できるが、そうでない場合はエアーカーテンのみで虫の侵入を阻止することになり、エアーカーテンの風速をかなり増加させないと、例えば、到達風速を４ｍ／秒以上にしないと、虫の侵入を阻止することが出来ないことになる。このため、出入口から建造物内に出入りする人に、到達風速４ｍ／秒以上のエアーカーテンを吹き付けることになって、人に不快感を与えることになる。【０００７】  上記特許文献２のエアーカーテン利用の虫侵入防止は、エアーカーテン装置からのエアーカーテンの吹き出し方向を変えて、出入口のシャッターが開いた状態でも虫の侵入を阻止するようにしたものである。しかしながら、エアーカーテンの吹き出し方向を変えるだけでは、虫の飛翔力に打ち勝てず、結局のところ特許文献１の場合と同様にエアーカーテンの風速をかなり増加させないと、虫の侵入を阻止することが出来ないことになる。したがって、同じように、出入口から建造物内に出入りする人に、風速を増したエアーカーテンの影響が及び、不快感を与えることになる。【０００８】  上記特許文献３の防虫薬剤利用の虫侵入防止は、状況に応じて細かく対応し、防虫薬剤を散布して、出入口の開閉扉が開いた状態でも虫の侵入を阻止するものである。しかしながら、虫の光に対する反応は思いの外強く、しかも虫の飛翔力もかなりあるので、出入口近傍に防虫薬剤を散布したゾーンがあっても、虫に防虫薬剤の効果が及ぶ間もなく、一瞬にして防虫薬剤散布ゾーンを突き抜け、建造物内に虫が侵入してしまうことになる。【０００９】  したがって、有害生物防除装置により建造物の出入口の外部に、常時かなり高い濃度の防虫薬剤散布ゾーンを形成且つ保持して、出入口に虫を寄せ付けないようにしておく必要がある。しかしながら、有害生物防除装置からの距離が増すにつれて防虫薬剤の濃度が低下し、ついには防虫効果が期待出来ないことになるから、虫を寄せ付けない防虫薬剤散布ゾーンを広範囲に形成且つ保持するには、防虫薬剤の使用量が増えることになり、且つ、有害生物防除装置も大型化せざるを得ない。【００１０】  そこで、本発明は、上記事情に鑑みてなされたもので、エアーカーテンが有する虫侵入防止機能と、防虫薬剤が有する殺虫ないし虫忌避機能とを組み合わせ、エアーカーテンによる不快感を与えることなく、さらに、防虫薬剤を防虫効果のある濃度に保持した状態のまま、防虫に有利な箇所に運搬散布して、広範囲に防虫効果を高めることの出来る防虫薬剤散布装置及びこれを利用した防虫用エアーカーテン装置を提供することを課題とする。
【課題を解決するための手段】
【００１１】  本発明は、上記課題を達成するために提案されたものであって、下記の構成からなることを特徴とするものである。
すなわち、請求項１記載の発明は、防虫薬剤を貯留するタンクと、該タンク内の防虫薬剤を防虫薬剤含有ガスにするガス化部と、発射口を有し前記ガス化部からの防虫薬剤含有ガスを受け入れて前記発射口から防虫薬剤含有ガスの渦輪を発射する渦輪発射部と、この渦輪発射部に発射圧力を必要に応じて与える発射圧力付与部と、を有してなり、前記渦輪発射部に発射圧力を前記発射圧力付与部により与えることで、前記発射口から防虫薬剤含有ガスの渦輪を発射することを特徴とする防虫薬剤散布装置である。【００１２】  また、請求項２記載の発明は、建造物の出入口の外側に設けて、その出入口を気流的に遮断するエアーカーテン装置と、該エアーカーテン装置に付帯し、防虫薬剤含有ガスの渦輪を発射する請求項１に記載の１以上の防虫薬剤散布装置と、からなり、１以上の前記防虫薬剤散布装置からの防虫薬剤含有ガスの渦輪を、前記エアーカーテン装置からのエアーカーテンよりも外側の位置から、且つ前記出入口に対し外側に向けて、発射することを特徴とする防虫用エアーカーテン装置である。【００１３】  また、請求項３記載の発明は、前記防虫薬剤散布装置の渦輪発射部における発射口の軸線方向を、全方向に０度ないし９０度の範囲で可変出来るようにしたことを特徴とする防虫用エアーカーテン装置である。【００１４】  また、請求項４記載の発明は、前記エアーカーテン装置からのエアーカーテンは、その到達風速が４ｍ／秒未満であることを特徴とする防虫用エアーカーテン装置である。【００１５】  また、請求項５記載の発明は、前記建造物の出入口は開閉扉付であることを特徴とする防虫用エアーカーテン装置である。【００１６】  上記請求項１の発明による作用は次の通りである。すなわち、タンクからガス化部に移動した防虫薬剤を防虫薬剤含有ガスにし、この防虫薬剤含有ガスの入った渦輪発射部に対し、発射圧力付与部にて発射圧力を与えることで、発射口から防虫薬剤含有ガスの渦輪を発射する。発射口から発射された防虫薬剤含有ガスの渦輪は、その状態のまま発射口の軸線方向に進行して行き、ある程度の距離まで到達したあと崩壊し、その渦輪が崩壊した場所で防虫薬剤含有ガスが拡散し始め、虫は現に拡散している防虫薬剤含有ガスが充満しているゾーンに対し忌避行動をしたり、死んだりする。【００１７】  上記請求項２の発明による作用は、エアーカーテンよりも外側の位置にある１以上の防虫薬剤散布装置から、防虫薬剤含有ガスの渦輪を出入口に対し外側に向けて発射すると、防虫薬剤含有ガスの渦輪は、その状態のまま出入口の外側を進行して行き、ある程度の距離まで到達したあと崩壊し、その渦輪が崩壊した場所で防虫薬剤含有ガスが拡散し始め、虫は現に拡散して防虫薬剤含有ガスが充満しているゾーンに対し忌避行動をしたり死んだりするが、そのゾーンを越えて出入口に向かって来る虫に対しては、エアーカーテン装置からのエアーカーテンにより、出入口から建造物内に侵入するのを阻止する。【００１８】  上記請求項３の発明による作用は、防虫薬剤散布装置の渦輪発射部における発射口からの防虫薬剤含有ガスの渦輪を全方向に発射出来るから、建造物の出入口の状況に即した方向に防虫薬剤含有ガスの渦輪を発射出来る。【００１９】  ��記請求項４の発明による作用は、エアーカーテンの到達風速が４ｍ／秒未満であるから、建造物の出入口を通過する人にエアーカーテンの影響を軽減する。【００２０】  上記請求項５の発明による作用は、建造物の出入口の開閉扉が閉じているときは虫の侵入がなく、開いているときだけ虫の侵入に対する対応を取ればよい。
【発明の効果】
【００２１】  以上詳述したように、本発明によれば、以下のような効果がある。
請求項１記載の発明は、防虫薬剤を防虫効果のある濃度に保持した状態のまま、防虫に有利な箇所まで運搬し散布して、防虫効果を高めることが出来る効果がある。【００２２】  請求項２記載の発明は、上記の効果に加えて、エアーカーテンが有する虫侵入防止機能を発揮でき、さらに、防虫薬剤が有する殺虫ないし虫忌避機能と、エアーカーテンが有する虫侵入防止機能との相乗効果により、出入口から虫が建造物内に入り込めないようにする効果がある。【００２３】  請求項３記載の発明は、上記の効果に加えて、建造物の出入口の状況に即した方向に防虫薬剤含有ガスの渦輪を発射して、出入口から虫が建造物内に入り込めないようにする効果をなお一層顕著にすることが出来る。【００２４】  請求項４記載の発明は、上記の効果に加えて、エアーカーテンによる不快感を軽減できる効果がある。【００２５】  請求項５記載の発明は、上記の効果に加えて、出入口の開閉扉が開いている時に、１以上の防虫薬剤散布装置から、防虫薬剤含有ガスの渦輪を出入口に対し外側に向けて発射したり、エアーカーテン装置からのエアーカーテンを吹き出せば良く、エアーカーテンが有する虫侵入防止機能と、防虫薬剤が有する殺虫ないし虫忌避機能との相乗効果を利かせて、出入口から虫が建造物内に入り込まないようにでき、運転コストを逓減することが出来る効果がある。
【図面の簡単な説明】
【００２６】
【図１】本発明の実施の形態を示す防虫薬剤散布装置の模式図である（実施例１）。
【図２】本発明の他の実施の形態を示す防虫薬剤散布装置の模式図である（実施例１）。
【図３】本発明の実施の形態を示す防虫用エアーカーテン装置を、建造物の開閉扉のある出入口に設置した状態の斜視図である（実施例１）。
【図４】図３の防虫用エアーカーテン装置の正面図である（実施例１）。
【図５】防虫用エアーカーテン装置の一部を断面した側面図である（実施例１）。
【図６】図３の出入口の開閉扉を開けた状態における防虫用エアーカーテン装置の作動を示す断面図である（実施例１）。
【発明を実施するための形態】
【００２７】
【実施例１】
【００２８】  図において、防虫薬剤散布装置１は、防虫薬剤を貯留するタンク２と、このタンク２内の防虫薬剤を防虫薬剤含有ガスにするガス化部３と、発射口４を有しガス化部３からの防虫薬剤含有ガスを受け入れて発射口４から防虫薬剤含有ガスの渦輪５を発射する渦輪発射部６と、この渦輪発射部６に発射圧力を必要に応じて与える発射圧力付与部７と、を有してなり、渦輪発射部６に発射圧力を発射圧力付与部７により与えることで、発射口４から防虫薬剤含有ガスの渦輪５を発射するものである。【００２９】  防虫薬剤は、浮遊状態の微細ミスト状態やガス状態になり、エアーと混合して防虫薬剤含有ガスを構成できて、防虫薬剤含有ガスの渦輪５を形成出来るものであれば、特に限定がなく、殺虫剤でも、虫が忌避したくなるような薬剤でも良い。【００３０】  防虫薬剤散布装置１における防虫薬剤含有ガスの渦輪５を発射する機構は、特に限定がないが、少なくとも、発射口４を有した渦輪発射部６と、この渦輪発射部６に圧力や衝撃を与える発射圧力付与部７が必要となる。渦輪発射部６の容量、発射口４の口径、渦輪発射部６に対する発射圧力の与え方などにより、渦輪発射部６の発射口４から発射される防虫薬剤含有ガスの渦輪５を如何様にも制御することが可能であるから、防虫目的に合わせて、これらの渦輪発射部６の容量、発射口４の口径、渦輪発射部６に対する発射圧力の与え方などが設定される。【００３１】  いずれにしても、この防虫薬剤散布装置１における渦輪発射部６の発射口４から発射された防虫薬剤含有ガスの渦輪５は、そのままの状態を保持して移動し、防虫薬剤散布装置１の設置場所から離れた所で崩壊して、その崩壊場所で渦輪５を形成していた防虫薬剤含有ガスの自然拡散が始まるので、防虫薬剤含有ガス中の防虫薬剤を高濃度にしておけば、防虫薬剤散布装置１から離れた崩壊場所周辺の防虫薬剤濃度を高く保持でき、崩壊場所周辺で防虫効果を充分に発揮出来ることになる。【００３２】  また、図２に示す防虫薬剤散布装置１Ａでもよく、この防虫薬剤散布装置１Ａは、防虫薬剤の貯留タンクと防虫薬剤をガス化するガス化部とが合体したガス化貯留タンク８と、シリンダー形状の渦輪発射部６Ａと、ピストン形状の発射圧力付与部７Ａとからなる。この発射圧力付与部７Ａのクランク９を回転させることで、クランクシャフト１０に回動自在のロッド１１によりピストン１２を往復動させ、ピストン１２が矢線Ａ方向に移動した時に、ガス化貯留タンク８から防虫薬剤含有ガスを渦輪発射部６Ａ内に呼び込み、ピストン１２が矢線Ｂ方向に移動した時に、渦輪発射部６Ａの発射口４から防虫薬剤含有ガスの渦輪５を発射する。【００３３】  そして、上記した防虫薬剤散布装置１あるいは１Ａ（以下、防虫薬剤散布装置１の場合として説明する。）は、建造物２０の出入口２１の外側２１ａに設けられ、その出入口２１を気流的に遮断するエアーカーテン装置２２と組み合わされて、防虫用エアーカーテン装置２３が形成される。すなわち、この防虫用エアーカーテン装置２３は、エアーカーテン装置２２上に１以上の防虫薬剤散布装置１を付帯させ、１以上の防虫薬剤散布装置１から防虫薬剤含有ガスの渦輪５を、エアーカーテン装置２２からのエアーカーテン２４よりも外側の位置から、且つ出入口２１に対し外側２１ａに向けて発射することで構成されたものである。なお、建造物２０の出入口２１には開閉扉２５が設けられ、この開閉扉２５は手動でも自動でも良い。この開閉扉２５があれば、「開」の時に防虫用エアーカーテン装置２３を運転し、「閉」の時に停止する形態をとり、運転コストの削減を図ることも可能である。【００３４】  前記エアーカーテン装置２２は、偏平な箱体である機体２６に吸込口２７とエアーカーテン２４を吹き出す吹出口２８とを備え、これら吸込口２７と吹出口２８との間の機体２６内に送風機２９を配設したものであり、吹出口２８から吹き出されたエアーカーテン２４は、出入口２１を気流的に遮断し且つ虫の侵入を防ぐものであるから、遮断するのに充分な到達距離と風速とを有しなければならない。したがって、吹出口２８の内側に整流板３０を平行に配設して、エアーカーテン２４を整流するための助走スペースを与えることで、遮断するために必要な到達距離を効率的に得ることが出来るようにしてある。【００３５】  また、このエアーカーテン装置２２は、吹出口２８から吹き出されたエアーカーテン２４が、出入口２１を気流的に遮断し且つ虫の侵入を防ぐものであるから、風速及び風量が大である方が有利であるが、到達風速が４ｍ／秒以上になると、出入口２１を通過する人にかなりの不快感を与えることになるので、到達風速が４ｍ／秒未満、好ましくは、２ｍ／秒ないし３．５ｍ／秒の範囲の到達風速が推奨される。【００３６】  なお、この実施例において、防虫用エアーカーテン装置２３における防虫薬剤散布装置１は、エアーカーテン装置２２の機体２６上に載置されているから、防虫薬剤散布装置１の発射口４からの防虫薬剤含有ガスの渦輪５は、エアーカーテン２４の外側で、出入口２１に対し外側２１ａに向けられて発射されることになる。そして、防虫薬剤散布装置１の発射口４の軸線方向（Ｌ）は、全方向に０度ないし９０度の範囲で可変出来るようにしている。これは発射口４に自在継手を繋げることで容易に実現でき、発射口４の軸線方向（Ｌ）を０度ないし９０度の範囲で可変出来ることは、いかなる方向にも発射口４から防虫薬剤含有ガスの渦輪５を発射できることになる。【００３７】  防虫薬剤散布装置１の発射口４から、全方向に防虫薬剤含有ガスの渦輪５を発射できれば、この防虫用エアーカーテン装置２３は、防虫薬剤散布装置１の発射口４から高濃度の防虫薬剤含有ガスが、渦輪５の状態で防虫薬剤散布装置１の設置場所から、いかなる方向でも運ばれ得ることになり、そのあと渦輪５が自然崩壊してその崩壊場所で渦輪５の高濃度の防虫薬剤含有ガスの自然拡散が始まり、防虫薬剤散布装置１から離れた崩壊場所周辺の防虫薬剤濃度を高く保持でき、防虫効果を充分に発揮出来ることが可能になる。したがって、防虫用エアーカーテン装置２３の設置場所の条件や虫の種類などにより、防虫薬剤散布装置１の発射口４の軸線方向（Ｌ）を任意に設定し、防虫薬剤含有ガスの渦輪５による防虫効果を最大限に引き出すことができる。【００３８】  前記送風機２９は、出入口２１を気流的に遮断し且つ虫の侵入を防ぐのに必要な風量と風圧とがあれば特に限定がないが、幅広の空間を分��するには貫流式の送風機がベターである。【００３９】  次に、上記構成になる防虫薬剤散布装置１あるいは１Ａないし防虫用エアーカーテン装置２３を使用した防虫状況を説明する。
防虫薬剤散布装置１あるいは１Ａを単独で使用して防虫を図る場合を説明する。
まず、防虫を図りたい場所に防虫薬剤散布装置１を設置する。その場所に適した防虫薬剤を選択して、その防虫薬剤をタンク２に貯留し、防虫薬剤散布装置１をオンする。タンク２からガス化部３に移動した防虫薬剤を高濃度の防虫薬剤含有ガスにし、この防虫薬剤含有ガスの入った渦輪発射部６対し、発射圧力付与部７にて発射圧力を与えることで、発射口４から高濃度の防虫薬剤含有ガスの渦輪５を発射する。発射口４から発射された防虫薬剤含有ガスの渦輪５は、その状態のまま発射口４の軸線方向に進行して行き、ある程度の距離まで到達したあと崩壊し、その渦輪５が崩壊した場所で高濃度の防虫薬剤含有ガスが拡散し始め、虫は現に拡散している防虫薬剤含有ガスに対し忌避行動をしたり、防虫薬剤により死ぬことになる。【００４０】  一方、防虫薬剤散布装置１Ａの場合も、ガス化貯留タンク８に選択した防虫薬剤を貯留し、防虫薬剤散布装置１Ａをオンする。発射圧力付与部７Ａのクランク９を回転させ、ピストン１２が矢線Ａ方向に移動した時に、ガス化貯留タンク８から防虫薬剤含有ガスを渦輪発射部６Ａ内に呼び込み、ピストン１２が矢線Ｂ方向に移動した時に、渦輪発射部６Ａの発射口４から高濃度の防虫薬剤含有ガスの渦輪５を発射することになる。【００４１】  さらに、防虫用エアーカーテン装置２３による防虫状況について説明する。
図３に示す出入口２１の開閉扉２５が閉じている状態の防虫用エアーカーテン装置２３において、まず、防虫薬剤散布装置１のタンク２に防虫薬剤を充填した後、防虫用エアーカーテン装置２３全体を作動状態にする。エアーカーテン装置２２の送風機２９が作動するから、吸込口２７からエアーを吸い込み吹出口２８から到達風速４ｍ／秒未満、好ましくは、２ｍ／秒ないし３．５ｍ／秒の範囲の到達風速のエアーカーテン２４を吹き出す。【００４２】  一方、防虫薬剤散布装置１あるいは１Ａも作動するから、渦輪発射部６あるいは６Ａ内に防虫薬剤含有ガスが入り、発射圧力付与部７あるいは７Ａにより、渦輪発射部６あるいは６Ａの発射口４から防虫薬剤含有ガスの渦輪５を発射する。発射口４から発射された高濃度の防虫薬剤含有ガスの渦輪５は、その状態のまま発射口４の軸線方向に進行して行き、出入口２１の外側２１ａからある程度離れた場所まで到達したあと、渦輪５が崩壊しその場所で高濃度の防虫薬剤含有ガスが拡散し始め、虫は現に拡散している防虫薬剤含有ガスに対し忌避行動をしたり、防虫薬剤により死ぬことになる。したがって、出入口２１の外側ゾーンは、虫の忌避行動や殺虫を維持する防虫薬剤含有ガス濃度が保持出来ることになり、それにもかかわらず、出入口２１の開閉扉２５に向かって飛翔する虫の存在も否定できないが、開閉扉２５が閉じているので、出入口２１から建造物２０内に虫が入ることが出来ない【００４３】  図６に示す出入口２１の開閉扉２５が開いている状態の防虫用エアーカーテン装置２３において、まず、防虫薬剤散布装置１のタンク２に防虫薬剤を充填した後、防虫用エアーカーテン装置２３全体を作動状態にすると、図３の開閉扉２５が「閉」の時と同様に、エアーカーテン装置２２の吹出口２８から到達風速４ｍ／秒未満の風速のエアーカーテン２４を吹き出すことになる。【００４４】  一方、防虫薬剤散布装置１あるいは１Ａも作動するから、図３の開閉扉２５が「閉」の時と同様に、渦輪発射部６あるいは６Ａの発射口４から防虫薬剤含有ガスの渦輪５を発射し、その状態のまま出入口２１の外側２１ａからある程度離れた場所まで到達して渦輪５が崩壊しその場所で高濃度の防虫薬剤含有ガスが拡散し始め、虫は現に拡散している防虫薬剤含有ガスに対し忌避行動をしたり、防虫薬剤により死ぬことになる。出入口２１の外側ゾーンは、虫の忌避行動や殺虫を維持する防虫薬剤含有ガス濃度が保持されているので、出入口２１に向かって飛翔する虫は少なく、仮に出入口２１に向かって飛翔する虫がいたとしても、途中の防虫薬剤含有ガスにより弱っているから、到達風速４ｍ／秒未満のエアーカーテン２４により阻止されて、開閉扉２５が開いていても出入口２１から建造物２０内に虫が入ることがなくなる。【００４５】  なお、ここでは、出入口４に開閉扉２５がある場合について説明したが、開閉扉２５が無い場合は、出入口４が常時開放状態になるので、上記した図６に示す出入口２１の開閉扉２５が開いている状態と同じなので、同じ運転をすることになる。【００４６】  以上、本発明の実施例１を説明したが、具体的な構成はこれに限定されず、本発明の要旨を逸脱しない範囲での変更・追加、各請求項における他の組み合わせにか��るものも、適宜可能であることが理解されるべきである。
【産業上の利用可能性】
【００４７】  本発明の防虫薬剤散布装置及びこれを利用した防虫用エアーカーテン装置は、建造物の出入口で開閉扉の有無に係わらず、さらに、エアーカーテンによる不快感を与えることなく、防虫薬剤の使用量を削減出来るのに、虫が出入口から建造物内に入り込まないようにしたい場合に、その利用可能性が極めて高くなる。
【符号の説明】
【００４８】      １、１Ａ              防虫薬剤散布装置
２                    建造物
３                    ガス化部
４                    発射口
５                    防虫薬剤含有ガスの渦輪
６、６Ａ              渦輪発射部
７、７Ａ              発射圧力付与部
８                    ガス化貯留タンク
９                    クランク
１０                  クランクシャフト
１１                  ロッド
１２                  ピストン
２０                  建造物
２１                  出入口
２１ａ                外側
２２                  エアーカーテン装置
２３                  防虫用エアーカーテン装置
２４                  エアーカーテン
２５                  開閉扉
２６                  機体
２７                  吸込口
２８                  吹出口
２９                  送風機
３０                  整流板
Ｌ                    発射口の軸線方向
【図１】
2013022015.tif 000003
【図２】
2013022015.tif 000004
【図３】
2013022015.tif 000005
【図４】
2013022015.tif 000006
【図５】
2013022015.tif 000007
【図６】
2013022015.tif 000008